(57)【要約】【課題】装置の厚さを薄型化することが可能な乳房撮影装置の提供すること。【解決手段】乳房撮影装置は、第一の側において被検者の乳房を圧迫板で圧迫させた状態で撮影する第一の撮影と、第一の側と反対の第二の側において被検者の乳房を保持台で保持した状態で撮影する第二の撮影とを行うことが可能である。乳房撮影装置は、第一の撮影において、放射線を発生させる電子ビーム生成部を有する第一の放射線発生部と、第二の撮影において、放射線を発生させる電子ビーム生成部を有する第二の放射線発生部と、を備える。第二の放射線発生部の電子ビーム生成部は、第一の放射線発生部の電子ビーム生成部に対して傾斜した状態で配置される。【選択図】  図２
2017035411.tif 000002
【特許請求の範囲】
【請求項１】
第一の側において被検者の乳房を圧迫板で圧迫させた状態で撮影する第一の撮影と、前記第一の側と反対の第二の側において前記被検者の乳房を保持台で保持した状態で撮影する第二の撮影とを行うことが可能な乳房撮影装置であって、
前記第一の撮影において、放射線を発生させる電子ビーム生成部を有する第一の放射線発生部と、
前記第二の撮影において、放射線を発生させる電子ビーム生成部を有する第二の放射線発生部と、を備え、
前記第二の放射線発生部の電子ビーム生成部は、前記第一の放射線発生部の電子ビーム生成部に対して傾斜した状態で配置されることを特徴とする乳房撮影装置。
【請求項２】
前記第一の放射線発生部の電子ビーム生成部は、前記第一の撮影において、陽極部のターゲットに照射する電子ビームを生成するカソードを有し、
前記第二の放射線発生部の電子ビーム生成部は、前記第二の撮影において、陽極部のターゲットに照射する電子ビームを生成するカソードを有することを特徴とする請求項１に記載の乳房撮影装置。
【請求項３】
前記第一の放射線発生部の電子ビーム生成部で生成される電子ビームと、前記第二の放射線発生部の電子ビーム生成部で生成される電子ビームとが同一の直線上に載らないように、前記第一の放射線発生部および前記第二の放射線発生部が構成されることを特徴とする請求項１または２に記載の乳房撮影装置。
【請求項４】
前記第二の放射線発生部の電子ビーム生成部で生成される電子ビームは、前記第一の放射線発生部の電子ビーム生成部で生成される電子ビームと平行にならないように前記第一の放射線発生部および前記第二の放射線発生部が構成されることを特徴とする請求項１乃至３のいずれか１項に記載の乳房撮影装置。
【請求項５】
前記第一の放射線発生部の電子ビーム生成部におけるカソードの軸と前記第二の放射線発生部の電子ビーム生成部におけるカソードの軸とが同一の直線上に載らないように、前記第一の放射線発生部および前記第二の放射線発生部が構成されることを特徴とする請求項１乃至４のいずれか１項に記載の乳房撮影装置。
【請求項６】
前記第一の放射線発生部の電子ビーム生成部におけるカソードの軸と前記第二の放射線発生部の電子ビーム生成部におけるカソードの軸とが平行にならないように前記第一の放射線発生部および前記第二の放射線発生部が構成されることを特徴とする請求項１乃至５のいずれか１項に記載の乳房撮影装置。
【請求項７】
前記第一の放射線発生部と、前記第一の放射線発生部で発生した放射線を検出する第一の放射線検出部とを対向させた状態で回転可能に保持し、かつ、前記第二の放射線発生部と、前記第二の放射線発生部で発生した放射線を検出する第二の放射線検出部とを対向させた状態で回転可能に保持する、回転フレームを更に備えることを特徴とする請求項２に記載の乳房撮影装置。
【請求項８】
前記第一の放射線発生部および前記第二の放射線発生部は、前記回転フレームの回転軸を中心にして、配置角度のずれがない状態で前記回転フレームに配置されることを特徴とする請求項７に記載の乳房撮影装置。
【請求項９】
前記第一の放射線発生部および前記第二の放射線発生部は、前記回転フレームの回転軸を中心にして、予め定められた配置角度ずらして前記回転フレームに配置されることを特徴とする請求項７に記載の乳房撮影装置。
【請求項１０】
前記配置角度は９０°であることを特徴とする請求項９に記載の乳房撮影装置。
【請求項１１】
前記第一の放射線発生部の前記陽極部のターゲットと前記第二の放射線発生部の前記陽極部のターゲットとを結ぶ直線は、前記回転フレームの回転軸と交わるように前記第一の放射線発生部および前記第二の放射線発生部が前記回転フレームに配置されることを特徴とする請求項７に記載の乳房撮影装置。
【請求項１２】
前記第一の放射線発生部の前記陽極部のターゲットから前記回転フレームの回転軸までの距離は、前記第二の放射線発生部の前記陽極部のターゲットから前記回転軸までの距離と異なるように、前記第一の放射線発生部および前記第二の放射線発生部が前記回転フレームに配置されることを特徴とする請求項７または１１に記載の乳房撮影装置。
【請求項１３】
前記第二の放射線発生部の前記陽極部は、前記第二の放射線発生部の前記カソードよりも前記被検者に近い位置に配置されていることを特徴とする請求項２に記載の乳房撮影装置。
【請求項１４】
前記第一の放射線発生部の前記カソードは、前記第一の放射線発生部の前記陽極部よりも前記被検者に近い位置に配置されていることを特徴とする請求項２に記載の乳房撮影装置。
【請求項１５】
前記第一の放射線発生部および前記第二の放射線発生部は、前記ターゲットに照射する電子ビームに基づいて、前記ターゲットの鉛直下方の方向から装置内部の方向に向かって広がりを持つ放射線を発生させることを特徴とする請求項２に記載の乳房撮影装置。
【請求項１６】
前記第一の撮影における前記第一の放射線発生部と前記第一の放射線検出部との距離は、前記第二の撮影における前記第二の放射線発生部と前記第二の放射線検出部との距離と異なるように、前記第一の放射線発生部および前記第二の放射線発生部が前記回転フレームに配置されることを特徴とする請求項７に記載の乳房撮影装置。
【請求項１７】
前記回転フレームの回転軸から前記第二の放射線発生部の前記ターゲットまでの距離が前記回転フレームの回転軸から前記第一の放射線発生部の前記ターゲットまでの距離よりも短くなるように、前記第一の放射線発生部および前記第二の放射線発生部が前記回転フレームに配置されることを特徴とする請求項７に記載の乳房撮影装置。
【請求項１８】
前記第一の放射線検出部は、前記圧迫板を支持する圧迫板支持部を着脱する着脱機構を有することを特徴とする請求項７に記載の乳房撮影装置。
【請求項１９】
前記第一の放射線発生部の前記陽極部は回転陽極型であり、前記第二の放射線発生部の前記陽極部は固定陽極型であることを特徴とする請求項２に記載の乳房撮影装置。
【請求項２０】
第一の側において被検者の乳房を圧迫板で圧迫させた状態で撮影する第一の撮影と、前記第一の側と反対の第二の側において前記被検者の乳房を保持台で保持した状態で撮影する第二の撮影とを行うことが可能な乳房撮影装置であって、
前記第一の撮影において放射線を発生させる第一の放射線発生部と、
前記第二の撮影において放射線を発生させる第二の放射線発生部と、
前記第一の放射線発生部および前記第二の放射線発生部を回転可能に保持する回転部と、を備え、
前記第一の放射線発生部および前記第二の放射線発生部は、前記回転部の回転軸を中心にして配置角度が互いにずらされた状態で前記回転部に配置されることを特徴とする乳房撮影装置。
【請求項２１】
前記第一の撮影はマンモグラム撮影であり、前記第二の撮影はＣＴ撮影であることを特徴とする請求項１乃至２０のいずれか１項に記載の乳房撮影装置。
【請求項２２】
前記第二の側にはフロントカバーが着脱可能に設けられており、前記フロントカバーには、開口部から進入させた前記被検者の乳房を保持するための前記保持台が設けられていることを特徴とする請求項１乃至２１のいずれか１項に記載の乳房撮影装置。
【発明の詳細な説明】
【技術分野】
【０００１】
本発明は、放射線を用いて乳房撮影を行う乳房撮影装置に関する。
【背景技術】
【０００２】
特許文献１には、乳房撮影装置として、放射線発生部と放射線検出部を回転部で回転させて乳房をＣＢＣＴ（Cone-Beam CT）撮影する機能と、乳房を２つのプレートで固定してマンモグラム撮影する機能とを有する構成が開示されている。特許文献１の構成では、被検者は装置の前面に立ち、２つのプレートの間で乳房を固定した状態で、マンモグラム撮影またはＣＢＣＴ撮影が行われる。
【先行技術文献】
【特許文献】
【０００３】
【特許文献１】特表２０１３−５３８６６８号公報
【発明の概要】
【発明が解決しようとする課題】
【０００４】
しかしながら、特許文献１の構成では、ＣＴ撮影を行う場合、２つのプレートとの間で被検者の乳房を固定しているため、被検者の乳房を適切に保持した状態で撮影を行うことが困難である。特許文献１には、被検者の乳房を適切に保持した状態で、装置の第１の側からマンモグラム撮影を行い、第１の側と反対の第２の側からＣＢＣＴ撮影を行う装置の構成について開示されていない。このように装置の両面から各撮影を行う装置構成では、装置の前後方向の厚さが増大することにより、乳房にアクセスしにくくなる場合が生じ、操作者の操作効率が低減する場合が生じ得る。
【０００５】
本発明は、上記の課題に鑑み、装置の厚さを薄型化することが可能な乳房撮影装置の提供を目的とする。
【課題を解決するための手段】
【０００６】
本発明の目的を達成するために、本発明の一態様に係る乳房撮影装置は、第一の側において被検者の乳房を圧迫板で圧迫させた状態で撮影する第一の撮影と、前記第一の側と反対の第二の側において前記被検者の乳房を保持台で保持した状態で撮影する第二の撮影とを行うことが可能な乳房撮影装置であって、
前記第一の撮影において、放射線を発生させる電子ビーム生成部を有する第一の放射線発生部と、
前記第二の撮影において、放射線を発生させる電子ビーム生成部を有する第二の放射線発生部と、を備え、
前記第二の放射線発生部の電子ビーム生成部は、前記第一の放射線発生部の電子ビーム生成部に対して傾斜した状態で配置されることを特徴とする。
【発明の効果】
【０００７】
本発明によれば、乳房撮影装置の薄型化が可能になる。
【図面の簡単な説明】
【０００８】
【図１】第１実施形態に係る乳房撮影装置の構成を示す図。
【図２】第１実施形態に係る乳房撮影装置の電子ビームとカソードの構成を示す図。
【図３】第２実施形態に係る乳房撮影装置の構成を示す図。
【図４】第２実施形態に係る乳房撮影装置の圧迫板の着脱機構の構成を示す図。
【図５】第２実施形態に係る乳房撮影装置の変形例を示す図。
【図６】第３実施形態の乳房撮影装置の構成を示す図。
【図７】第３実施形態に係る乳房撮影装置の変形例を示す図。
【発明を実施するための形態】
【０００９】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１０】
（第１実施形態）
第１実施形態では、マンモグラム撮影とＣＢＣＴ（Cone-Beam CT）撮影が可能な乳房撮影装置１００を説明する。乳房撮影装置は、第一の側において被検者の乳房を圧迫板で圧迫させた状態で撮影する第一の撮影と、第一の側と反対の第二の側において被検者の乳房を保持台で保持した状態で撮影する第二の撮影とを行うことが可能である。ここで、乳房撮影装置は、第一の撮影において、放射線を発生させる電子ビーム生成部を有する第一の放射線発生部と、第二の撮影において、放射線を発生させる電子ビーム生成部を有する第二の放射線発生部と、を備える。第一の放射線発生部の電子ビーム生成部は、第一の撮影において、陽極部のターゲットに照射する電子ビームを生成するカソードを有し、第二の放射線発生部の電子ビーム生成部は、第二の撮影において、陽極部のターゲットに照射する電子ビームを生成するカソードを有する。
【００１１】
図１は、第１実施形態に係る乳房撮影装置の構成を示す図である。図１において、第一の側は乳房撮影装置の後面側であり、第二の側は乳房撮影装置の前面側である。また、以下の説明において、第一の撮影はマンモグラム撮影であり、第二の撮影はＣＴ撮影（ＣＢＣＴ撮影）である。図１（ａ）は、放射線撮影時における乳房撮影装置の前方からの斜視図を示している。図１（ｂ）は、図１（ａ）の乳房撮影装置の側面図を示している。図１（ｃ）は、図１（ａ）の乳房撮影装置の後方からの斜視図を示している。
【００１２】
乳房撮影装置は、主に、地面や床に固設された固定部５と、固定部５上に地面や床に対して鉛直方向に立置されたガントリ支持部４と、ガントリ支持部４に対して回動可能に設置された回転フレーム３とを備える。そして、乳房撮影装置は、回転フレーム３に設置され、マンモグラム撮影で使用する放射線を発生させる第一の放射線発生部１と、第一の放射線発生部１で発生した放射線を検出する第一の放射線検出部２とを備える。さらに、乳房撮影装置は、回転フレーム３に設置され、ＣＢＣＴ撮影で使用する放射線を発生させる第二の放射線発生部６と、第二の放射線発生部６で発生した放射線を検出する第二の放射線検出部７とを備える。回転フレーム３は、第一の放射線発生部１と、第一の放射線発生部１で発生した放射線を検出する第一の放射線検出部２とを対向させた状態で回転可能に保持し、かつ、第二の放射線発生部６と、第二の放射線発生部６で発生した放射線を検出する第二の放射線検出部７とを対向させた状態で回転可能に保持する。
【００１３】
図１（ｂ）において、装置の左側が乳房撮影装置の前方に対応し、装置の右側が乳房撮影装置の後方に対応する。図１（ｂ）において、前後方向の幅が乳房撮影装置の厚みを示す。また、ＣＢＣＴ撮影では、被検者は前方側から乳房撮影装置にアクセスし、マンモグラム撮影では、被検者は後方側から乳房撮影装置にアクセスする。また、ＣＢＣＴ撮影とマンモグラム撮影では、ＳＩＤ（Source to Image Distance）が異なり、ＣＢＣＴ撮影では４００〜５００ｍｍ、マンモグラム撮影では６５０ｍｍ程度のＳＩＤを想定している。これにより、先行技術にある複数の放射線発生部で構成されたＣＴ装置では、ＳＩＤは一定であり、ＣＴ装置とは明らかに異なる乳房撮影独自の装置構成となる。
【００１４】
第一の放射線発生部１および第二の放射線発生部６は、放射線を発生するものであり、放射線を照射する放射線管球及び放射線の照射領域を制限するための絞り等を備える。
【００１５】
第一の放射線検出部２は第一の放射線発生部１から照射された放射線を検出し、第二の放射線検出部７は第二の放射線発生部６から照射された放射線を検出する。
【００１６】
回転フレーム３は、第一の放射線発生部１および第一の放射線検出部２と、第二の放射線発生部６および第二の放射線検出部７と、を回転可能な状態で支持する。回転フレーム３は、第一の放射線発生部１の放射線照射方向と第一の放射線検出部２の放射線検出面が向かい合うように支持している。また、回転フレーム３は、第二の放射線発生部６の放射線照射方向と第二の放射線検出部７の放射線検出面とが向かい合うように支持する。
【００１７】
回転フレーム３は、第一の放射線発生部１および第一の放射線検出部２と、第二の放射線発生部６および第二の放射線検出部７と、を支持した状態で、回転軸１１を中心に回転可能に構成されている。回転フレーム３は、ドーナツ状の中空形状となっており、特に外形は、円筒形になっている。回転フレーム３外形の円筒形の軸は、回転軸１１に一致している。回転フレーム３の回転動作により、ＣＢＣＴ撮影時には、３６０°の回転により、ＣＴ画像を撮影し、マンモグラム撮影時には、ＣＣ（頭尾方向）撮影とＭＬＯ（内外斜位方向）撮影の切替えを行う。
【００１８】
ガントリ支持部４は、回転フレーム３を支持する。ガントリ支持部４は、図１（ｃ）に示した回転軸１１を中心に回転フレーム３を回転させる回転部を有している。具体的には、回転部の構成として、ガントリ支持部４内部の固定部５近傍にモータが配置されており、モータの回転軸にはタイミングプーリが配置されている。回転フレーム３の外形（外周部）には、モータの回転軸のタイミングプーリと同じピッチの溝が設けられている。回転フレーム３の外形（外周部）とタイミングプーリとの間に回転伝達部材（例えば、タイミングベルト）が巻かれている。モータの回転軸の回転がタイミングプーリおよび回転伝達部材（タイミングベルト）を介して回転フレーム３の外形（外周部）に伝達され、モータの回転軸の回転に応じて、回転フレーム３は回転軸１１を中心に回転する。このようにして、モータを駆動させることで、回転フレーム３を、回転軸１１を中心に回転させることができる。
【００１９】
さらに、回転フレーム３の回転を円滑にするように回転フレーム３とガントリ支持部４との間に回転支持部材（例えば、ベアリング）を配置しても良い。また、タイミングベルトの代わりに、回転伝達部材としてチェーンを用いても良い。その場合、タイミングプーリは、スプロケットに置き換えればよい。
【００２０】
固定部５は、ガントリ支持部４を支持する。固定部５に対して、ガントリ支持部４は地面や床面に対して鉛直方向に伸縮可能な昇降部を有していても良い。これにより、ガントリ支持部４は、昇降部の伸縮により、装置の高さを変えることができ、被検者の身長に合わせた撮影を行うことができる。
【００２１】
圧迫板８は、回転フレーム３に支持されている。マンモグラム撮影では、圧迫板８と第一の放射線検出部２の間に被検者の乳房を挟み、乳房を固定して画像を取得する。圧迫板８は、回転フレーム３上で、第一の放射線検出部２に対する距離を変更可能な移動部を有している。
【００２２】
第二の側にはフロントカバー９が着脱可能に設けられており、フロントカバー９には、開口部から進入させた被検者の乳房を保持するための保持台１０が設けられている。図１（ａ）に示すように、フロントカバー９は、ガントリ支持部４に固定支持されている。フロントカバー９の外形は、回転フレーム３の露出部の最外形を内包した形状を有する。フロントカバー９の中央部分には、開口部が形成されている。
【００２３】
保持台１０は、撮影時に被検者の乳房を支持し、乳房の位置を固定するものである。保持台１０は、フロントカバー９に固定支持されている。被検者は、ＣＢＣＴ撮影時にはフロントカバー９の開口部に乳房を入れ、保持台１０に乳房を置く。その後、回転フレーム３を回転させながら画像を取得することで、ＣＢＣＴ撮影が行われる。これにより、フロントカバー９は、ＣＢＣＴ撮影時の回転フレーム３の回転動作領域に被検者が侵入することを防ぐことができる。
【００２４】
（第一の放射線発生部１および第二の放射線発生部６の配置）
図１では、第一の放射線発生部１と第二の放射線発生部６とが装置の厚み方向に並べた概略構成を説明した。すなわち、図１では、第一の放射線発生部１および第二の放射線発生部６は、回転フレーム３の回転軸１１を中心にして、配置角度のずれがない状態で回転フレーム３に配置された状態の概略構成を説明した。
【００２５】
そこで、第一の放射線発生部１および第二の放射線発生部６の各構成や配置に関して、更に図２を参照して詳細に説明する。図２は、本実施形態に係る乳房撮影装置の電子ビームとカソードの構成を示す図である。図２（ａ）は、乳房撮影装置の側面から見た第一の放射線発生部１および第二の放射線発生部６の断面図である。図２（ｂ）は、参考例として、回転陽極型の放射線発生部を２つ並べた構成例を示す図である。図２（ａ）に示すように、本実施形態の乳房撮影装置において、第二の放射線発生部６の電子ビーム生成部１０６は、第一の放射線発生部１の電子ビーム生成部１０１に対して傾斜した状態で配置される。具体的には、本実施形態の乳房撮影装置において、第二の放射線発生部６の電子ビーム生成部１０６は、第一の放射線発生部１の電子ビーム生成部１０１に対して下方に傾斜した状態で配置される。すなわち、電子ビーム生成部１０６は、電子ビーム生成部１０１に対して下方に傾斜した状態で配置される。
【００２６】
図２（ａ）に示すような構成では、第一の放射線発生部１の電子ビーム生成部１０１で生成される電子ビーム１４と、第二の放射線発生部６の電子ビーム生成部１０６で生成される電子ビーム１４とが同一の直線上に載らないように、第一の放射線発生部および第二の放射線発生部が構成される。すなわち、第二の放射線発生部６の電子ビーム生成部１０６および第一の放射線発生部１の電子ビーム生成部１０１は、生成する各電子ビームが同一の直線上に載らないように配置される。
【００２７】
電信ビームの相対的な関係を言い換えると、第二の放射線発生部６の電子ビーム生成部１０６で生成される電子ビーム１４は、第一の放射線発生部１の電子ビーム生成部１０１で生成される電子ビーム１４と平行にならないように第一の放射線発生部１および第二の放射線発生部６が構成される。すなわち、第二の放射線発生部６の電子ビーム生成部１０６および第一の放射線発生部１の電子ビーム生成部１０１は、生成する各電子ビームが平行にならないように配置される。
【００２８】
図２（ａ）に示すような構成では、第一の放射線発生部１の電子ビーム生成部１０１におけるカソード１２の軸と第二の放射線発生部６の電子ビーム生成部１０６におけるカソード１２の軸とが同一の直線上に載らないように、第一の放射線発生部１および第二の放射線発生部６が構成される。すなわち、第二の放射線発生部６の電子ビーム生成部１０６および第一の放射線発生部１の電子ビーム生成部１０１は、それぞれのカソード１２の軸が同一の直線上に載らないように配置される。
【００２９】
カソードの軸の相対的な関係を言い換えると、第一の放射線発生部１の電子ビーム生成部１０１におけるカソード１２の軸と第二の放射線発生部６の電子ビーム生成部１０６におけるカソード１２の軸とが平行にならないように第一の放射線発生部１および第二の放射線発生部６が構成される。すなわち、第二の放射線発生部６の電子ビーム生成部１０６および第一の放射線発生部１の電子ビーム生成部１０１は、それぞれのカソード１２の軸が平行にならないように配置される。
【００３０】
マンモグラム撮影では一回の放射線曝射につき、一枚の静止画像を撮影するため、放射線曝射時に大きな出力が必要になる。回転陽極型の放射線発生部は、大きな出力を出すことができるため、本実施形態の乳房撮影装置は、マンモグラム撮影用の第一の放射線発生部１の構成として、回転陽極型の放射線発生部を用いることが可能である。尚、マンモグラム撮影で必要とされる出力が十分であれば、他の方式の放射線発生部を用いることも可能であり、回転陽極型の放射線発生部に限定されない。
【００３１】
図２（ａ）及び図２（ｂ）の第一の放射線発生部１は、回転陽極型の放射線発生部の構造を有する。すなわち、第一の放射線発生部１の陽極部は回転陽極型である。カソード１２は、円筒形状を有し、円筒形状の内部に陰極部を有する。カソード１２の陰極部からカソード１２の軸に沿って回転陽極部１３のターゲット２１に向かって電子ビーム１４が照射される。第一の放射線発生部１内において、回転陽極部１３は回転可能に保持されており、回転陽極部１３は、少なくとも電子ビーム１４が照射されている間は、回転陽極部１３の中心軸を中心にして回転している。回転陽極部１３のターゲット２１に衝突した電子ビーム１４により、放射線１６が発生する。第一の放射線発生部１のカソード１２は、第一の放射線発生部１の陽極部よりも被検者に近い位置に配置されている。
【００３２】
また、本実施形態の乳房撮影装置は、ＣＢＣＴ撮影用の第二の放射線発生部６の構成として、固定陽極型の放射線発生部を用いることが可能である。固定陽極型の放射線発生部の構造は、回転陽極型の放射線発生部の構造に比べて、撮影時に被検者が立つ側の装置の前面から放射線照射領域までの距離を小さくすることができ、被検者の乳房の胸壁に近い部分の撮影をすることができる。
【００３３】
尚、装置の前面から放射線照射領域までの距離を回転陽極型の放射線発生部の構造に比べて小さくすることができれば、他の方式のものでも良く、固定陽極型に限定されない。
【００３４】
図２（ａ）の第二の放射線発生部６は、固定陽極型の放射線発生部の構造を有する。すなわち、第二の放射線発生部６の陽極部は固定陽極型である。カソード１２は、回転陽極型の放射線発生部では水平に配置されているのに対し、固定陽極型の放射線発生部において、カソード１２は斜め方向に傾斜した状態で配置されている。具体的には、カソード１２は、水平方向から傾斜角α（例えば、１５°程度）、下方に傾けられた状態で配置されている。カソード１２の陰極部からカソード１２の軸に沿って固定陽極部１５のターゲット２２に向かって電子ビーム１４が照射される。固定陽極部１５は、第二の放射線発生部６内に固定配置されている。固定陽極部１５のターゲット２２に衝突した電子ビーム１４により、放射線１６が発生する。第二の放射線発生部６の陽極部は、第二の放射線発生部６のカソード１２よりも被検者に近い位置に配置されている。固定陽極型の放射線発生部は、カソード１２を傾けて配置する分、回転陽極型の放射線発生部よりも図２（ａ）の左右方向の装置の厚みを、より薄く構成することができる。
【００３５】
図２（ｂ）のような、参考例の装置構成における回転陽極型の放射線発生部では、カソード１２の軸と電子ビーム１４は、同一直線上に位置している。これに対し、図２（ａ）に示すように、本実施形態の装置構成では、固定陽極型の放射線発生部（第二の放射線発生部６）と回転陽極型の放射線発生部（第一の放射線発生部１）とを並べて配置している。このような配置の装置構成では、カソード１２の軸と電子ビーム１４は、同一直線上に位置せず、さらに平行でもない。このような装置構成により、図２（ｂ）に示すように回転陽極型の放射線発生部を同一直線上に２つ並べる装置構成に比べて、図２（ａ）に示す装置構成は、ガントリ支持部４の前後方向の厚みを薄く構成することができる。
【００３６】
また、本実施形態の第一の放射線発生部１の回転陽極部１３のターゲット２１は、装置の後方から前方に向かう方向の位置に配置されている。第二の放射線検出部７の固定陽極部１５のターゲット２２は、装置の前方側に配置されている。このように、ターゲットを配置することにより、装置の前後方向の厚みを薄く構成しつつ、前面からＣＢＣＴ撮影を行い、後面からマンモグラム撮影を行うことができる乳房撮影装置を実現することが可能となる。
【００３７】
また、第一の放射線発生部１および第二の放射線発生部６は、ターゲットに照射する電子ビームに基づいて、ターゲットの鉛直下方の方向から装置内部２５の方向に向かって広がりを持つ放射線を発生させることが可能である。具体的には、第一の放射線発生部１および第二の放射線発生部６において、照射される放射線は、電子ビームの角度や、電子ビームが当たる陽極部の角度、または、放射線発生部の絞りにより、照射制御が行われる。例えば、図２（ａ）に示すように、第一の放射線発生部１により照射される放射線１６は、装置の後面側（回転フレーム３の外側）では鉛直下方に照射される。また、第一の放射線発生部１により照射される放射線１６は、装置の内部（回転フレーム３の内側）では、装置の内部方向に向かって広がりを持つように照射され、放射線の照射範囲は装置の内部において広がる。
【００３８】
また、第二の放射線発生部６により照射される放射線１６は、装置の前面側（回転フレーム３の外側）では鉛直下方に照射される。また、第二の放射線発生部６により照射される放射線１６は、装置の内部（回転フレーム３の内側）では、装置の内部方向に向かって広がりを持つように照射され、放射線の照射範囲は装置の内部において広がる。これにより、乳房撮影装置の前面、もしくは後面から被検者の乳房を撮影する場合に、乳房撮影装置の正面または背面に向かって厚みが厚くなる乳房に対して、ブラインド領域をできるだけなくすことができる。
【００３９】
本実施形態の構成によれば、マンモグラム撮影においては圧迫板で被検者の乳房を保持し、ＣＴ撮影では保持台で保持した状態で撮影を行うことができ、被検者の乳房を適切に保持した状態で撮影を行うことができる。本実施形態の構成によれば、係る装置の構成において、装置の厚さを薄型化することが可能になる。また、被検者の乳房へのアクセス性が向上し、操作者の操作効率の向上を図ることが可能になる。
【００４０】
（第２実施形態）
第２実施形態では、乳房撮影装置の厚みを更に薄型化した乳房撮影装置の構成を説明する。図３は、第２実施形態に係る乳房撮影装置の構成を示す図である。図３（ａ）は、乳房撮影装置の後方からの斜視図を示している。図３（ｂ）は、マンモグラム撮影時における乳房撮影装置の背面図（後方正面図）を示している。図３（ｃ）は、図３（ｂ）に示す回転フレーム３を任意の角度回転させた状態の乳房撮影装置の背面図（後方正面図）を示している。
【００４１】
図３において、図１に示した乳房撮影装置の構成と同一の構成（第一の放射線発生部１〜回転軸１１）については同一の参照番号を付しており、重複をさけるため説明を省略する。乳房撮影装置は、第一の側において被検者の乳房を圧迫板で圧迫させた状態で撮影する第一の撮影と、第一の側と反対の第二の側において被検者の乳房を保持台で保持した状態で撮影する第二の撮影とを行うことが可能である。ここで、乳房撮影装置は、第一の撮影において放射線を発生させる第一の放射線発生部１と、第二の撮影において放射線を発生させる第二の放射線発生部６と、第一の放射線発生部１および第二の放射線発生部６を回転可能に保持する回転部（回転フレーム３）と、を備える。本実施形態の乳房撮影装置では、第一の放射線発生部１および第二の放射線発生部６は、回転部（回転フレーム３）の回転軸を中心にして配置角度が互いにずらされた状態で回転部（回転フレーム３）に配置される。
【００４２】
ＣＴセンサ支持部１７は、第二の放射線検出部７を支持する部材である。ＣＴセンサ支持部１７は、回転フレーム３の内周面に配置されている。マンモグラム撮影からＣＢＣＴ撮影に切り替える場合には、図３（ｂ）から回転フレーム３を適当な角度回転させることで、ＣＴ撮影の開始位置となる任意の初期位置まで第二の放射線発生部６を移動させる。
【００４３】
第２実施形態の乳房撮影装置の構成では、第一の放射線発生部１および第二の放射線発生部６は、回転フレーム３の回転軸を中心にして、予め定められた配置角度ずらして回転フレーム３に配置される。具体的には、回転フレーム３に対する、第一の放射線発生部１と第二の放射線発生部６との間隔（配置角度）を、回転軸１１を中心にして間隔（配置角度）β°ずらして配置している。第１実施形態では、第一の放射線発生部１と第二の放射線発生部６とが、乳房撮影装置の厚さ方向に沿って直列に並べて配置した構成（直列配置構成）について説明した。第２実施形態では、第一の放射線発生部１と第二の放射線発生部６との間隔（配置角度）をずらして配置しているため、回転フレーム３の内周面の円周方向に第一の放射線発生部１と第二の放射線発生部６とを並べて配置することが可能になる。すなわち、乳房撮影装置の厚さ方向に対して交差する回転フレーム３の内周面の円周方向に沿って、第一の放射線発生部１と第二の放射線発生部６とを並列に並べて配置した構成（並列配置構成）となる。このため、第２実施形態の構成では、乳房撮影装置の厚さは、第１実施形態で説明した乳房撮影装置の構成における厚さに比べて、装置の厚さを更に薄くすることが可能になる。
【００４４】
図３（ｂ）において、第一の放射線発生部１は、第１実施形態で説明したように、回転陽極型の放射線発生部として構成することが可能であるが、この例に限定されるものではなく、固定陽極型の放射線発生部として第一の放射線発生部１を構成することも可能である。また、第二の放射線発生部６は、固定陽極型の放射線発生部として構成することが可能であるが、この例に限定されるものではなく、回転陽極型の放射線発生部として第二の放射線発生部６を構成することも可能である。回転陽極型の放射線発生部と固定陽極型の放射線発生部の構成は、第１実施形態で説明したとおりである。回転軸１１を中心にして間隔（配置角度）β°ずらして配置された第一の放射線発生部１および第二の放射線発生部６において、カソードの軸と電子ビームの軌跡を通る直線は互いに交わることがない。
【００４５】
装置の薄型化により、圧迫板８と第二の放射線検出部７との干渉を防ぐため、圧迫板８と第二の放射線検出部７とを取り外し可能に構成することも可能である。例えば、第二の放射線検出部７については、第二の放射線検出部７とＣＴセンサ支持部１７とに、溝と突起部との係合によるロック機構を設けることで第二の放射線検出部７をＣＴセンサ支持部１７に対して着脱可能に構成することができる。
【００４６】
図４は、第２実施形態に係る乳房撮影装置の圧迫板８の着脱機構の構成を示す図である。図４（ａ）は、図３（ｂ）の状態から圧迫板８を取り外した状態を示している。図４（ｂ）は、圧迫板８近傍の装置側面の断面図を示している。図４（ｂ）において、圧迫板８は、圧迫板支持部１８に支持されている。第一の放射線検出部２は、圧迫板８を支持する圧迫板支持部１８を着脱する着脱機構を有する。圧迫板８は、圧迫板支持部１８に対して、図４(ｂ)の上下方向にスライド移動可能に構成されている。圧迫板８は、圧迫板支持部１８とともに、第一の放射線検出部２から取り外し可能になっている。圧迫板８および圧迫板支持部１８を取り外すことにより、第二の放射線検出部７との干渉を防ぐことができる。図４（ｂ）に示すように、圧迫板支持部１８は、Ｌ字状の形状となっており、下部のＬ字先端部の下側には、テーパ部４０１が設けられている。第一の放射線検出部２には、圧迫板支持部１８のＬ字先端部のテーパ部４０１と嵌合する凹部にテーパ部４０２が設けられている。取り付け時には、圧迫板支持部１８のテーパ部４０１は、第一の放射線検出部２のテーパ部４０２により導かれ、嵌合位置に位置決めされる。そして、ネジやピンである締結部１９により圧迫板支持部１８と第一の放射線検出部２とは締結される。
【００４７】
取り外し時には、締結部１９を外すことで、自重で圧迫板支持部１８が下方に下がり、第一の放射線検出部２の凹部と圧迫板支持部１８のＬ字先端部との嵌合が解除され、円滑に第一の放射線検出部２から圧迫板支持部１８を外すことができる。圧迫板８は、例えば、１５０Ｎから２００Ｎの圧力を受けることが可能である。以上の構成にすることで、圧迫板８にかかる圧力に対して、ガタがなく、締結後の剛性を高く実現できるとともに、着脱操作も円滑に行える操作性の良い圧迫板８の着脱機構を実現することができる。そして、第二の放射線検出部７と圧迫板８の着脱機構により、干渉することなく、乳房撮影装置の薄型化が可能になる。
【００４８】
図５は、第一の放射線発生部１と第二の放射線発生部６との間隔（配置角度）の変形例を示す図であり、図５では、配置角度は９０°（β＝９０°）の場合を例示している。図５（ａ）は、乳房撮影装置の後方からの斜視図を示している。図５（ｂ）は、マンモグラム撮影時における乳房撮影装置の背面図（後面正面図）を示している。図５（ｃ）は、ＣＢＣＴ撮影時における乳房撮影装置の背面図（後面正面図）を示している。
【００４９】
β＝９０°にすることで、第一の放射線発生部１の照射軸と第二の放射線発生部６の照射軸が、回転フレーム３の回転軸１１を中心に、９０度間隔で配置される。このような配置間隔とすることにより、回転フレーム３には、等間隔に、第一の放射線発生部１、第二の放射線発生部６、第一の放射線検出部２、および第二の放射線検出部７が配置されることになる。このように配置間隔を等間隔とすることにより、回転フレーム３からガントリ支持部４にかかる負荷を分散させることが可能になる。また、回転フレーム３の回転機構の劣化を抑制し、乳房撮影装置における回転フレーム３の回転機構の長寿命化が可能になる。
【００５０】
（第３実施形態）
第３実施形態では、第２実施形態で説明した乳房撮影装置の構成に基づいて、撮影時の乳房へのアクセス性に優れた乳房撮影装置の構成について説明する。
【００５１】
図６は、第３実施形態に係る乳房撮影装置の構成を示す図である。図６（ａ）は、乳房撮影装置の背面図（後面正面図）を示している。図６（ｂ）は、マンモグラム撮影時における乳房撮影装置の後方からの斜視図を示している。図６（ｃ）は、図６（ｂ）に示す回転フレーム３を１８０°回転させた状態の乳房撮影装置の後方からの斜視図を示している。図６において、図１に示した乳房撮影装置の構成と同一の構成（第一の放射線発生部１〜回転軸１１）については同一の参照番号を付しており、重複をさけるため説明を省略する。
【００５２】
マンモグラム撮影からＣＢＣＴ撮影に切り替える場合には、図６（ｂ）から回転フレーム３を適当な角度回転させることで、ＣＴ撮影の開始位置となる任意の初期位置まで第二の放射線発生部６を移動させる。また、ＣＢＣＴ撮影時の保持台１０へのアクセス性を重視して、図６（ｂ）の状態のまま使用したり、回転フレーム３を１８０°回転させて、図６（ｃ）の状態で使用したりしても良い。第３実施形態の乳房撮影装置の構成では、第一の放射線発生部１と第二の放射線発生部６とを回転フレーム３の反対側に配置している。すなわち、第３実施形態の乳房撮影装置の構成では、回転フレーム３に対する、第一の放射線発生部１と第二の放射線発生部６との間隔（配置角度）を、回転軸１１を中心にして間隔（配置角度）１８０°ずらして配置している。
【００５３】
図６において、第一の放射線発生部１は、第１実施形態で説明したように、回転陽極型の放射線発生部として構成することが可能であるが、この例に限定されるものではなく、固定陽極型の放射線発生部として第一の放射線発生部１を構成することも可能である。また、第二の放射線発生部６は、固定陽極型の放射線発生部として構成することが可能であるが、この例に限定されるものではなく、回転陽極型の放射線発生部として第二の放射線発生部６を構成することも可能である。回転陽極型の放射線発生部と固定陽極型の放射線発生部の構成は、第１実施形態で説明したとおりである。
【００５４】
図６に示す構成によれば、第一の放射線発生部１の陽極部のターゲット２１と第二の放射線発生部６の陽極部のターゲット２２とを結ぶ直線は、回転フレーム３の回転軸１１と交わるように第一の放射線発生部１および第二の放射線発生部６が回転フレーム３に配置される。第一の放射線発生部１のターゲット２１と第二の放射線発生部６のターゲット２２とを結ぶ直線が回転フレーム３の回転軸１１上を通る交点２０で交わるように第一の放射線発生部１と第二の放射線発生部６とが回転フレーム３に配置されている。また、第一の放射線発生部１の陽極部のターゲット２１から回転フレーム３の回転軸１１までの距離は、第二の放射線発生部６の陽極部のターゲット２２から回転軸１１までの距離と異なるように、第一の放射線発生部１および第二の放射線発生部６が回転フレーム３に配置される。
【００５５】
以上の構成により、第２実施形態の乳房撮影装置の構成と比較して、装置の薄型化を維持したまま、図６に示すように、保持台１０の左右の領域にスペースを確保することができ、ＣＢＣＴ撮影時における操作者の被検者乳房へのアクセスを容易にすることが可能になる。
【００５６】
図７は、第３実施形態に係る乳房撮影装置の変形例を示す図である。図７（ａ）は乳房撮影装置の背面図（後面正面図）を示している。図７（ｂ）は乳房撮影装置の後方からの斜視図を示している。
【００５７】
図７に示す構成では、第一の撮影における第一の放射線発生部１と第一の放射線検出部２との距離は、第二の撮影における第二の放射線発生部６と第二の放射線検出部７との距離と異なるように、第一の放射線発生部１および第二の放射線発生部６が回転フレーム３に配置される。また、回転フレーム３の回転軸１１から第二の放射線発生部６のターゲット２２までの距離が回転フレーム３の回転軸１１から第一の放射線発生部１のターゲット２１までの距離よりも短くなるように、第一の放射線発生部１および第二の放射線発生部６が回転フレーム３に配置される。図７の構成において、ＣＢＣＴ撮影のＳＩＤはマンモグラム撮影のＳＩＤよりも短いため、回転軸１１からターゲット２２までの距離が回転軸１１からターゲット２１までの距離より短くなるように配置している。また、図７に示す装置構成と図６に示す装置構成とを比較すると、図７の乳房撮影装置においては、第二の放射線検出部７が、圧迫板支持部１８に支持されているためＣＴセンサ支持部１７を構成しなくて良い。
【００５８】
以上の構成により、回転軸１１からターゲット２１までの距離と回転軸１１からターゲット２２までの距離とが異なるように第一の放射線発生部１と第二の放射線発生部６とを回転フレーム３に配置する。このような配置にすることで、装置の薄型化を維持したまま、保持台１０の左右の領域にスペースを確保することができ、ＣＢＣＴ撮影時における操作者の被検者乳房へのアクセスを容易にすることが可能になる。
【００５９】
また、ＣＴセンサ支持部１７を構成する必要が無くなり、コスト低減と回転フレーム３に対する負荷の軽減を図ることが可能になる。つまり、装置の薄型化と、ＣＢＣＴ撮影時の操作者の被検者の乳房へのアクセス性向上と、コストダウンと軽量化を実現することが可能になる。
【００６０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６１】
１：第一の放射線発生部、２：第一の放射線検出部、３：回転フレーム、
４：ガントリ支持部、５：固定部、６：第二の放射線発生部、
７：第二の放射線検出部、８：圧迫板、９：フロントカバー、
１０：保持台、１１：回転軸、１８：圧迫板支持部
【図１】
2017035411.tif 000003
【図２】
2017035411.tif 000004
【図３】
2017035411.tif 000005
【図４】
2017035411.tif 000006
【図５】
2017035411.tif 000007
【図６】
2017035411.tif 000008
【図７】
2017035411.tif 000009